(57)【要約】      （修正有）【課題】出幣器の調整構造を提供する。【解決手段】本考案の出幣器の調整構造の改良は、出幣器の出幣口１２１一側に、定位槽１２２を設置し、定位槽の側壁に、複数の停止部１２２１を凸設し、定位槽内に、複数の定位空間１２２２を形成する。定位槽の一側に、制限部１２３を設置し、制限部は、定位空間と対応する複数の制限孔１２３１を有し、定位槽と制限部上に、調整ブロック１３を設置し、調整ブロックの表面に、調整孔１３３を設置する。これにより、調整ブロックは、定位手段１３４により、異なる定位空間と定位空間が対応する制限孔１２３１で定位し、調整ブロックの位置を調整して、調整ブロックは、硬貨の大きさにより、出幣口の大きさを調整して、出幣口は、各種硬貨の大きさに符合する。【選択図】図３
0003115874.tif 000002
【実用新案登録請求の範囲】
【請求項１】
出幣器の出幣口の大小を調整する調整構造であって、前記出幣器は座体を有し、前記座体の一側に出幣口を有し、前記座体上方に、回転盤、及び、入幣口を順に設置し、前記回転盤は、前記座体内に設置された伝動装置に連接され、
前記出幣口の一側に複数の停止部を有する定位槽を設置し、該定位槽は複数の定位空間を有し、複数の定位空間の配列方向は、前記出幣口の出幣方向と垂直で、前記定位槽の一側に制限部を設け、前記制限部は複数の前記定位空間と相対する制限孔を有し、各相対する制限孔と前記定位空間の中心位置は平行で、前記定位槽と前記制限部の上方は調整ブロックを有し、且つ、前記調整ブロックは調整孔を有し、調整ブロックに異なる定位空間で、前記定位空間が対応する制限孔を定位する定位手段を有することを特徴とする出幣器の調整構造。
【請求項２】
前記複数の定位空間の相隣する二つの定位空間の部分は、重畳空間を形成することを特徴とする請求項１に記載の出幣器の調整構造。
【請求項３】
前記複数の制限孔はマトリクス状を呈することを特徴とする請求項１に記載の出幣器の調整構造。
【請求項４】
前記定位手段は、前記調整ブロック下方に、前記定位空間で定位する定位柱を延設し、前記調整孔上に、前記調整孔を順に穿過し、前記定位空間と定位を形成する定位素子を設置することを特徴とする請求項１に記載の出幣器の調整構造。
【請求項５】
前記定位手段は、門型の定位素子を設置し、前記定位素子の両側は、順に、前記調整ブロックの調整孔と前記定位空間、及び、前記定位空間が対応する前記制限孔内を穿過し、定位を形成することを特徴とする請求項１に記載の出幣器の調整構造。
【請求項６】
前記調整ブロックの一側は導引辺を有し、前記導引辺は、前記出幣口の出幣方向に平行で、且つ、前記導引辺の一側は導引面を設置することを特徴とする請求項１に記載の出幣器の調整構造。
【請求項７】
前記座体内の前記出幣口の前記制限部から離れた側に、弾幣装置を設置し、前記弾幣装置はベースを枢設し、前記ベースは、弾性素子を連接すると共に、前記ベース上に、抵持部を枢接し、且つ、前記抵持部は、前記座体表面に位置することを特徴とする請求項１に記載の出幣器の調整構造。
【請求項８】
前記座体表面は、前記出幣口の一側に、複数の停止ブロックを凸設することを特徴とする請求項１に記載の出幣器の調整構造。
【請求項９】
前記座体は、底座を有し、前記底座上方は、上蓋を覆蓋していることを特徴とする請求項１に記載の出幣器の調整構造。
【請求項１０】
前記伝動装置は、モーター、及び、伝動部を有し、且つ、前記伝動部は、前記座体表面に露出し、前記回転盤に連接されていることを特徴とする請求項１に記載の出幣器の調整構造。
【請求項１１】
前記回転盤は、複数の置幣孔を環状に設置し、前記回転盤の底面は、各置幣孔の位置に沿って、複数の頂推部３２を凸設することを特徴とする請求項１に記載の出幣器の調整構造。
【請求項１２】
前記調整孔は、一つ、或いは、それ以上であることを特徴とする請求項１に記載の出幣器の調整構造。
【考案の詳細な説明】
【技術分野】
【０００１】
本考案は、出幣器の調整構造の改良であって、特に、出幣器の出幣口の大きさの調整構造であって、座体の出幣口一側に設置された定位槽、及び、複数の制限部により、調整ブロックの位置を調整し、出幣口は、使用者の需要によって、適当な大きさに調整して、出幣器が素子を交換する必要がない状態下で、多種の異なる硬貨に適用でき、メーカーの生産コスト、及び、ストックコストを減少させる出幣器の調整構造に関する。
【背景技術】
【０００２】
出幣器は、硬貨数量を計算する硬貨計数出力構造であって、硬貨は、硬貨の金額によって、その大きさが異なるので、以前の出幣器は、異なる大きさの硬貨に応じて、異なる形式の出幣口を製作して、硬貨を出幣口から出していた。
よって、出幣口が硬貨より大きい時、硬貨があちらこちらに飛び、小さすぎると出すことが出来ず、よって、出幣口は、異なる尺寸の硬貨のために特別に製作するため、コストが増加し、製作の複雑であるといった問題点があった。
【０００３】
上述の問題を解決するため、本考案人は、「出幣器構造」（特許文献１）ついての発明を提案し、更に、その後、「出幣器の改良構造」（特許文献２）を追加提案している。
これらの発明は、フレーム、入幣口、回転盤、サーバーモーター、弾盤、弾幣構造、弾性ボール等の素子からなり、これにより、硬貨は、効果的に硬貨孔中に落ちて、空回転を防止し、弾盤を交換するだけで、各種尺寸の硬貨に適用でき、メーカーの生産コスト、ストックコストを減少させている。しかし、本考案人は、これら発明にも、以下のような欠点（図７で示される）があることを見いだした。
【０００４】
１．弾盤B１は、多辺形設計であるため、各辺の円弧辺B２は、異なる硬貨B３に合わせて設計し、弾盤Ｂ１は、硬貨Ｂ３の尺寸の違いにより交換しなければならないので、出幣器全体は、弾盤Ｂ１を交換すれば、異なる硬貨Ｂ３の要求に合致するが、多種の弾盤Ｂ１を製作するので、やはり、コスト面に問題が残る。
２．弾盤Ｂ１の一側は、弾性片Ｂ５により頂抵し、弾幣構造Ｂ４は、弾性素子Ｂ６の制限を受けるので、硬貨Ｂ３は、弾盤Ｂ１の円弧辺Ｂ２、及び、弾幣構造Ｂ４のローラーＢ７で抵接する。ここで、回転盤Ｂ８底面の頂推縁は、大きい力で弾盤Ｂ１、及び、弾幣構造Ｂ４が有する反弾力を克服しなければならないので、回転盤８が回転する時、大きな抵抗を受けて、容易に損壊し、出幣器の寿命が減少し、使用コストが上昇する。
【特許文献１】台湾特許公告第２８２１３２号公報
【特許文献２】台湾特許公告第３２１３２４号公報
【考案の開示】
【考案が解決しようとする課題】
【０００５】
上述の問題を改善するため、本考案は、安価に制作でき、強固で寿命の長い出幣器の調整構造の改良を提供することを目的とする。
【課題を解決するための手段】
【０００６】
上記課題を解決するために、本考案の出幣器の調整構造の改良は、出幣器の出幣口一側に、定位槽を設置し、定位槽の側壁に、複数の停止部を凸設し、定位槽内に、複数の定位空間を形成する。定位槽の一側に、制限部を設置し、制限部は、定位空間と対応する複数の制限孔を有し、定位槽と制限部上に、調整ブロックを設置し、調整ブロックの表面に、調整孔を設置する。これにより、調整ブロックは、定位手段により、異なる定位空間と定位空間が対応する制限孔で定位し、調整ブロックの位置を調整して、調整ブロックは、硬貨の大きさにより、出幣口の大きさを調整して、出幣口は、各種硬貨の大きさに合致する。
本考案は、相隣する定位空間の一部により、重畳空間を形成し、二つの相隣する定位空間の距離を短縮し、調整ブロックが僅かなシフトだけで、出幣口は、更に、各種硬貨の大小に合致(符合)することができる。
【０００７】
すなわち、請求項１の考案は、出幣器の出幣口の大小を調整する調整構造であって、前記出幣器は座体を有し、前記座体の一側に出幣口を有し、前記座体上方に、回転盤、及び、入幣口を順に設置し、前記回転盤は、前記座体内に設置された伝動装置に連接され、前記出幣口の一側に複数の停止部を有する定位槽を設置し、該定位槽は複数の定位空間を有し、複数の定位空間の配列方向は、前記出幣口の出幣方向と垂直で、前記定位槽の一側に制限部を設け、前記制限部は複数の前記定位空間と相対する制限孔を有し、各相対する制限孔と前記定位空間の中心位置は平行で、前記定位槽と前記制限部の上方は調整ブロックを有し、且つ、前記調整ブロックは調整孔を有し、調整ブロックに異なる定位空間で、前記定位空間が対応する制限孔を定位する定位手段を有することを特徴とする出幣器の調整構造である。
【０００８】
請求項２の考案は、前記複数の定位空間の相隣する二つの定位空間の部分は、重畳空間を形成することを特徴とする請求項１に記載の出幣器の調整構造である。
請求項３の考案は、前記複数の制限孔はマトリクス状を呈することを特徴とする請求項１に記載の出幣器の調整構造である。
請求項４の考案は、前記定位手段は、前記調整ブロック下方に、前記定位空間で定位する定位柱を延設し、前記調整孔上に、前記調整孔を順に穿過し、前記定位空間と定位を形成する定位素子を設置することを特徴とする請求項１に記載の出幣器の調整構造である。
請求項５の考案は、前記定位手段は、門型の定位素子を設置し、前記定位素子の両側は、順に、前記調整ブロックの調整孔と前記定位空間、及び、前記定位空間が対応する前記制限孔内を穿過し、定位を形成することを特徴とする請求項１に記載の出幣器の調整構造である。
請求項６の考案は、前記調整ブロックの一側は導引辺を有し、前記導引辺は、前記出幣口の出幣方向に平行で、且つ、前記導引辺の一側は導引面を設置することを特徴とする請求項１に記載の出幣器の調整構造である。
【０００９】
請求項７の考案は、前記座体内の前記出幣口の前記制限部から離れた側に、弾幣装置を設置し、前記弾幣装置はベースを枢設し、前記ベースは、弾性素子を連接すると共に、前記ベース上に、抵持部を枢接し、且つ、前記抵持部は、前記座体表面に位置することを特徴とする請求項１に記載の出幣器の調整構造である。
請求項８の考案は、前記座体表面は、前記出幣口の一側に、複数の停止ブロックを凸設することを特徴とする請求項１に記載の出幣器の調整構造である。
請求項９の考案は、前記座体は、底座を有し、前記底座上方は、上蓋を覆蓋していることを特徴とする請求項１に記載の出幣器の調整構造である。
請求項１０の考案は、前記伝動装置は、モーター、及び、伝動部を有し、且つ、前記伝動部は、前記座体表面に露出し、前記回転盤に連接されていることを特徴とする請求項１に記載の出幣器の調整構造である。
請求項１１の考案は、前記回転盤は、複数の置幣孔を環状に設置し、前記回転盤の底面は、各置幣孔の位置に沿って、複数の頂推部３２を凸設することを特徴とする請求項１に記載の出幣器の調整構造である。
請求項１２の考案は、前記調整孔は、一つ、或いは、それ以上であることを特徴とする請求項１に記載の出幣器の調整構造である。
【考案の効果】
【００１０】
本考案により、出幣口は、使用者の需要によって、適当な大きさに調整すれば、出幣器が素子を交換する必要がないので、多種の異なる硬貨に適用でき、メーカーの生産コスト、及び、ストックコストを減少させ、かつ、強固で寿命の長いものとなる。
【考案を実施するための最良の形態】
【００１１】
本考案の好適な出幣器の調整構造の実施例を図面を参照して説明する。
図１〜図３は、本考案の本実施例による立体分解図、立体外観図、及び、局部構造図であり、これら図からわかるように、出幣器は、座体１、伝動装置２、回転盤３、入幣口４から構成されている。
座体１は底座１１を有し、底座１１は上蓋１２で覆蓋し、上蓋１２の一側に出幣口１２１を有し、出幣口１２１の一側に定位槽１２２を設置する。この定位槽１２２の側壁に、複数の停止部１２２１を凸設し、定位槽１２２内に、複数の定位空間１２２２を形成し、且つ、定位空間１２２２の配列方向と出幣口１２１の出幣方向（図中の矢印で示される）とは、ほぼ垂直である。定位槽１２２の一側に、制限部１２３を設置し、制限部１２３は、定位空間１２２２と対応する複数の制限孔１２３１を有し、制限孔１２３１と定位空間１２２２の中心位置は平行で、且つ、複数の制限孔１２３１はマトリクス状をなし、相隣する制限孔１２３１の偏移距離の中点は、二つの定位空間１２２２の停止部１２２１に対して、相隣する二つの定位空間１２２２の一部が重畳空間(連接空間)を形成する。
定位槽１２２と制限部１２３上に、調整ブロック１３を設置し、この調整ブロック１３の一側は、導引辺１３１を有し、導引辺１３１の一側は、導引面１３２を設置する。
【００１２】
調整ブロック１３の表面に、複数の調整孔１３３を設置する。この調整ブロック１３は、定位手段１３４により調整ブロック１３を、制限部１２３と定位槽１２２上に定位させ、且つ、定位手段１３４は、調整ブロック下方で、定位空間１２２２内に定位する定位柱１３４１を延設し、調整孔１３３上に、この調整孔１３３を順に穿過して、定位空間１２２２と定位を形成する定位素子１３４２を設置する。
上蓋１２底面は、出幣口１２１の制限部１２３から離れた側に、弾幣装置１４を設置し、この弾幣装置１４はベース１４１を枢設し、このベース１４１は、弾性素子１４２を連接すると共に、ベース１４１上に、抵持部１４３を枢接する。抵持部１４３は、上蓋１２表面に位置し、抵接部１４３一側の上蓋１２表面に、複数の停止ブロック１５を凸設する。
【００１３】
伝動装置２は、座体１内に設置され、伝動装置２は、モーター２１、及び、伝動部２２を有し、伝動部２２は、上蓋１２表面に露出している。
回転盤３は、複数の置幣孔３１を環状に設置し、回転盤の底面は、各置幣孔３１の位置に沿って、複数の頂推部３２を凸設する。回転盤３は、伝動装置２が設置する伝動部２２に連接され、回転盤３は、伝動部２２により旋転する。
入幣口４は、容置空間４１を有し、容置空間４１の底面は、出力口４２を設置する。出力口４２は、回転盤３の上方に位置する。
【００１４】
出幣器を使用するとき、座体１の出幣口１２１を、硬貨の尺寸によって、調整ブロック１３を適当な位置に調整し、出幣口１２１は適当な大きさの出幣空間を有する。入幣口４の容置空間４１内に、硬貨を入れた後、回転盤３は回転を始め、容置空間４１内の硬貨が翻動し、硬貨は、回転盤３の置幣孔３１内に落入し、更に、回転盤３底面に設置された頂推部３２により、硬貨を振り落として、出幣口１２１から出す。
【００１５】
更に、図４、図５を参照し、図４、図５は、本考案の好ましい実施例による局部構造図である。
図からわかるように、出幣口１２１の大きさを調整する時、調整ブロック１３を適当な位置に移動し、その下方の定位柱１３４１を定位空間１２２２内に定位させ、定位槽１２２が設置する停止部１２２１は、停止作用を有して、定位柱１３４１が、定位空間１２２２でしっかりと定位されると共に、調整ブロック１３表面の調整孔１３４は、定位空間１２２２が対応する制限孔１２３１に対し、更に、定位素子１３４２により、調整孔１３３を順に、穿過して、制限孔１２３１と固定され、調整ブロック１３を必要な位置に定位させる。
調整ブロック１３の導引辺１３１は、出幣口１２１の出幣方向に平行で、使用者が出幣口１２１の大きさを変更したい時、定位素子１３４２を抜いて、定位柱１３４１を必要な定位空間１２２２に移動させ、定位素子１３４２を、調整孔１３３、定位空間１２２２が対応する制限孔１２３１を順に穿過させればよい。
これにより、調整ブロック１３は、異なる位置で定位でき、出幣口１２１は、各種硬貨の大小に合致する。
【００１６】
更に、回転盤３が回転する過程で、回転盤３底面の頂推部３２（図１で示される）は、硬貨を出幣口１２１に頂推し、硬貨が出ない時、硬貨は停止部１５に接触して、回転盤３の置幣孔３１を出て、出幣口１２１方向に移動すると共に、調整ブロック１３が設置する導引面１３２により導引され、硬貨を導引辺１３１方向に移動させる。硬貨移動中、硬貨は、弾性素子１４が設置する抵持部１４３を推動し、弾性素子１４のベース１４１はシフトし、ベース１４１が連接する弾性素子１４は弾性変形を生じて、復位能力を有し、この復位能力により、硬貨は出幣口１２１から弾出する。
【００１７】
図６は、本考案の更に好ましい実施例による局部立体図である。図からわかるように、定位手段１３４が設置する定位素子１３４２は門型状で、定位素子１３４２の両側は、順に、調整ブロックの調整孔１３３と定位空間１２２２、及び、定位空間１２２２が対応する制限孔１２３１内を穿過し、定位を形成する。
【００１８】
本考案の実施例の出幣器の調整構造は、座体１の出幣口１２１一側に設置された定位槽１２２の複数の定位空間１２２２を利用し、且つ、定位空間１２２２の配列方向と出幣口１２１の出幣方向は、ほぼ垂直で、定位槽１２２の一側に、制限部１２３を設置し、制限部１２３は、定位空間１２２２と対応する複数の制限孔１２３１を有し、制限孔１２３１と定位空間１２２２の中心位置は平行で、調整ブロック１３は、定位手段１３４により、調整ブロック１３を、異なる定位空間１２２２と定位空間１２２２が対応する制限孔１２３１に定位させる。これにより、調整ブロック１３の位置を調整し、調整ブロック１３は、硬貨の尺寸の違いにより出幣口１２１の大きさを調整し、出幣口１２１は、各種硬貨の大きさに符合し、且つ、相隣する定位空間１２２２の一部分は重畳空間を形成し、二つの相隣する定位空間１２２２の距離を短縮し、調整ブロック１３は僅かなシフトが可能で、出幣口１２１は更に、各種硬貨の大きさに調整できる。
【００１９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができることは勿論である。
【図面の簡単な説明】
【００２０】
【図１】本考案の好ましい実施例による立体分解図である。
【図２】本考案の好ましい実施例による立体外観図である。
【図３】本考案の好ましい実施例による局部構造図である。
【図４】本考案の好ましい実施例による局部構造図である。
【図５】本考案の好ましい実施例による局部構造図である。
【図６】本考案のもう一つの好ましい実施例による局部立体図である。
【図７】公知の出幣器を示す図である。
【符号の説明】
【００２１】
１        座体
１１      底座
１２      上蓋
１２１    出幣口
１２２    定位槽
１２２１  停止部
１２２２  定位空間
１２３    制限部
１２３１  制限孔
１３      調整ブロック
１３１    導引辺
１３２    導引面
１３３    調整孔
１３４    定位手段
１３４１  定位柱
１３４２  定位素子
１４      弾性素子
１４１    ベース
１４３    抵持部
１５      停止ブロック
２        伝動装置
２１      モーター
２２    伝動部
３      回転盤
３１    置幣孔
３２    頂推部
４      入幣口
４１    容置空間
４２    出力口
B１      弾盤
B２      円弧辺
B３      異なる硬貨
B４      弾幣構造
B５      弾性片
B６      弾性素子
B７      ローラー
B８      回転盤
【図１】
0003115874.tif 000003
【図２】
0003115874.tif 000004
【図３】
0003115874.tif 000005
【図４】
0003115874.tif 000006
【図５】
0003115874.tif 000007
【図６】
0003115874.tif 000008
【図７】
0003115874.tif 000009